(57)【要約】【課題】  放熱器のフィンに付着した塵埃を的確に除去することのできる除去装置と、それを用いた空調装置を提供することを目的とする。【解決手段】  上辺を折曲して手掛部を形成した枠体９ａと同枠体９ａ内に張設された不織布９ｂとからなり、吸込口の左右側面部に形成されたガイド部により、上部側から装着される除塵用のフィルタ９を形成し、前記枠体９ａの下端面に、上下二段となるとともに、フィン７ａの一側面に接するように一方向に傾斜して植設されたブラシ１０ａと他側面に接するように他方向に傾斜して植設されたブラシ１０を設ける。【選択図】図２
2006022982.tif 000002
【特許請求の範囲】
【請求項１】
熱交換器に対向するように配置され、且つ移動可能な除塵用のフィルタに、前記熱交換器のフィンに接触するブラシを設けてなることを特徴とする除塵装置。
【請求項２】
前記ブラシが、前記フィンに付着した塵埃を除去するように配置され、且つ異なる方向に傾斜して設けられてなることを特徴とする請求項１に記載の除塵装置。
【請求項３】
吸込口と吹出口とを備えた本体内に熱交換器と送風ファンとを設け、前記吸込口に、前記熱交換器に沿って移動可能なフィルタと、前記熱交換器のフィンに接触するように前記フィルタに備えられたブラシとからなる除塵装置を用いたことを特徴とする空調装置。
【請求項４】
前記吸込口の下方に前記除塵装置により除去された塵埃を収容するダクトボックスを設けてなることを特徴とする請求項３に記載の空調装置。
【発明の詳細な説明】
【技術分野】
【０００１】
本発明は、空調装置に用いられる除塵装置に関わり、より詳細には、放熱器のフィンに付着した塵埃を容易に除塵できる除塵装置に関する。
【背景技術】
【０００２】
従来の、空気調和機等の空調装置は、例えば図４（Ａ）の斜視図及び図４（Ｂ）の断面図で示すように、吸込口と吹出口とを設けた本体内に、放熱器４０と、同放熱器４０により熱交換された空気を室内に送出する、ファン４３と、同ファン４３を駆動するファンモータ４２とからなる送風ファン４１を設けている。
【０００３】
平行して並べられた多数のフィンと、同フィンに直交するように配設された伝熱管とからなる前記熱交換器４０の周囲には除塵装置が設けられ、同除塵装置は、前記熱交換器４０の四囲に配設された複数のローラー４５と、同ローラー４５に巻回された無端形状のダストフィルタ４４と、前記ローラー４５のいずれかに連結され、これを回動させる駆動モータ４６と、前記ダストフィルタ４４の一側と接するように設けられ、これに付着した塵埃を排除するブラシ等の除塵体４７とからなっている（例えば、特許文献１参照。）。
【０００４】
前記吸込口から吸込まれた空気に含有される塵埃は、回動する前記ダストフィルタ４４により塵埃を吸着され、続いて前記熱交換器４０により熱交換された後、前記送風ファン４１により室内に送出されるようになっている。また前記ダストフィルタ４４に吸着された塵埃は前記除塵体４７により排除されるようになっている。これより前記熱交換器４０のフィンあるいは伝熱管の表面は清浄が保たれ、熱交換機能を維持できるようになっている。
【０００５】
しかしながら、例えば温水暖房機の室内機として使用されるファンコンベクタ等では、放熱器（熱交換器）が吸込口に近接して設けられ、又、高熱を放出する等から放熱器の周囲を覆うような上記した除塵装置を設けることが難しく、又、ファンコンベクタは床面に設置されることにより、周囲の塵埃が吸込口から侵入しやすく、これが放熱器のフィンの表面に付着堆積して熱交換性能に影響を及ぼすというような不具合があり改善が求められていた。
【０００６】
又、他の従来例として、例えば図５に示すように、フィン５１を平行して並べた熱交換器５０の左右の側板５２に、噛部５３ａを形成したガイド孔５３を設け、回転軸５５にブラシ５４を設けるとともに、一側にクランク軸５６を形成した清掃部材を前記ガイド孔５３に挿通して、前記クランク軸５６を回転させることにより前記フィン５１を清掃する清掃装置がある。しかしながら、前記ブラシ５４を本体内に設けるには、吸込口と熱交換器との間にブラシの設置スペースを要するばかりでなく、人手により前記クランク軸５６を回動させて清掃作業を行う必要があり、清掃作業が煩わしいというような問題点があった
（例えば、特許文献２参照。）。
【０００７】
【特許文献１】実開昭６０−１５５９２４号公報（２〜３頁、図１）
【特許文献２】実開平３−１０４６８５号公報（４〜５頁、図１）
【発明の開示】
【発明が解決しようとする課題】
【０００８】
本発明は、上記問題点に鑑み、放熱器を構成する、空気流と平行するように並べられた多数のフィンの表面に塵埃が付着した際、容易にこれを除去することができる除塵装置を提供することを目的とする。
【課題を解決するための手段】
【０００９】
本発明は、上記課題を解決するため、熱交換器に対向するように配置され、且つ移動可能な除塵用のフィルタに、前記熱交換器のフィンに接触するブラシを設けて除塵装置を構成してなる。又、前記ブラシが、前記フィンに付着した塵埃を除去するように配置され、且つ異なる方向に傾斜して設けられた構成となっている。又、吸込口と吹出口とを備えた本体内に熱交換器と送風ファンとを設け、前記吸込口に、前記熱交換器に沿って移動可能なフィルタと、前記熱交換器のフィンに接触するように前記フィルタに備えられたブラシとからなる除塵装置を用いて空調装置を構成してなる。又、前記吸込口の下方に前記除塵装置により除去された塵埃を収容するダクトボックスを設けた構成となっている。
【発明の効果】
【００１０】
本発明によると、フィルタの枠体に植設されたブラシにより、構成が簡素な一方、放熱器のフィンに付着した塵埃を的確に除去して放熱器の性能を維持することのできる除去装置と、それを備えた空調装置とすることができる。
【発明を実施するための最良の形態】
【００１１】
以下、本発明の実施の形態を、添付図面に基づいた実施例として詳細に説明する。
【実施例１】
【００１２】
図１（Ａ）はファンコンベクタを示す断面図であり、図１（Ｂ）は放熱器を示す斜視図である。図２は除塵装置の第一実施例を示す斜視図であり、図３は第二実施例を示す斜視図である。
【００１３】
本発明による除塵装置を組み込んだファンコンベクタは、図１（Ａ）で示すように、後面が開放されたフロントパネル１と、前面が開放されたリアパネル２と、これらを床面に支承するベース３とで本体を構成されている。同本体の背面上部には、フィルタ９を着脱自在に備え、複数の桟により形成された吸込口５が設けられ、前面下部には、複数の上下風向偏向板６ａと左右風向偏向板６ｂとを備えた吹出口６が設けられ、前記吸込口５と前記吹出口６とを繋ぐ空気流路には、放熱器７と、同放熱器７で加熱された空気を前記吹出口６から室内に送出する送風ファン８とが設けられている。
【００１４】
前記放熱器７は、図１（Ｂ）で示すように、平行して並べられた多数のフィン７ａと、同フィン７ａに直交するように配設され、端部をＵ字管により接続して蛇行状に配設された伝熱管７ｂとから形成され、室外に設置された室外機からの温水が前記伝熱管７ｂを循環することにより、同放熱器７を通過する空気を加熱するようになっている。
【００１５】
本体の前記吸込口５に備えられた前記フィルタ９は、図２（Ａ）及び図２（Ｂ）で示すように、上辺を折曲して手掛部を形成した枠体９ａと同枠体９ａ内に張設された不織布９ｂとからなり、前記吸込口５の左右側面部に形成された凹溝状のガイド部により、上部側から挿入されて装着され、又、抜脱する際は手掛部に手を掛けて引き抜けるようになっている。
【００１６】
前記放熱器７のフィン７ａに対向する前記枠体９ａの下端面には、図２（Ｂ）で示すように、ブラシ１０が植設されている。同ブラシ１０は上下二段となるように配設されており、図２（Ｃ）で示すように、上段のブラシ１０ａは前記熱交換器７のフィン７ａの一側面に接するように一方向に傾斜して植設され、下段のブラシ１０ｂはフィン７ａの他側面に接するように他方向に傾斜して植設されている。
【００１７】
長期間の運転の後、前記不織布９ｂを交換するため、前記フィルタ９を前記吸込口５から上部方向に引き抜くと、同フィルタ９の下部に設けられた前記ブラシ１０が前記フィルタ７ａの側端部を上部方向に向かい摺動しつつ、フィン７ａ側端部に付着しやすい綿状の埃及び塵埃を除去するようになっている。これによりフィン７ａと、これを通過する空気との伝熱特性が回復するとともに、塵埃が原因ともなる騒音の発生を抑制できるようになっている。
【実施例２】
【００１８】
次に、第二実施例について説明する。第二実施例は、図３で示すように、フィルタ１１を、上辺を折曲して手掛部１１ｂを備えた枠体１１ａと同枠体１１ａ内に張設された不織布１１ｃとで形成する一方、前記放熱器７のフィン７ａに対向する前記枠体１１ａの上辺部にブラシ１２を植設している。同ブラシ１２は、第一実施例と同様に、上下二段となるように配設されており、上段のブラシは前記フィン７ａの一側面に接するように一方向に傾斜して植設され、下段のブラシ１はフィン７ａの他側面に接するように他方向に傾斜して植設されている。
【００１９】
又、前記フィルタ１１が設けられるファンコンベクタの本体は、第一実施例と同様に、フロントパネル１とリアパネル２とこれらを支承するベース３とからなり、前記リアパネル２の上部には前記フィルタ１１が装着される吸込口５が形成されている。同吸込口５の左右両側には前記フィルタ１１が下方から挿抜できるガイド部が設けられる一方、同吸込口５の下方には、上面を開放した袋体状のダクトボックス２ａが形成されている。
【００２０】
長期間の運転の後、前記不織布１１ｃを交換するため、前記フィルタ１１を前記吸込口５から下部方向に引き抜くと、同フィルタ９の上辺に設けられた前記ブラシ１２が前記フィルタ７ａの側端部を下部方向に向かい摺動しつつ、フィン７ａ側端部に付着した綿状の埃及び塵埃をかき獲るとともに、かき獲った塵埃を前記ダクトボックス２ａ内に排出するようになっている。これにより塵埃を周囲に飛散させることなく、フィルタの交換作業を行うとともにフィン７ａの清掃を容易に行えるようになっている。
【図面の簡単な説明】
【００２１】
【図１】（Ａ）は、ファンコンベクタの断面図である。  （Ｂ）は放熱器を示す斜視図である。
【図２】（Ａ）は、第一実施例におけるファンコンベクタの後部側の斜視図である。  （Ｂ）はフィルタを示す斜視図である。  （Ｃ）はブラシを示す断面図である。
【図３】（Ａ）は、第二実施例におけるファンコンベクタの斜視図である。  （Ｂ）はフィルタを示す斜視図である。
【図４】（Ａ）は、従来例の一例を示す斜視図である。  （Ｂ）はその断面図である。
【図５】従来例の他の例を示す斜視図である。
【符号の説明】
【００２２】
１  フロントパネル
１ａ  扉
２  リアパネル
３  ベース
４  仕切板
５  吸込口
６  吹出口
６ａ  上下風向偏向板
６ｂ  左右風向偏向板
７  放熱器
７ａ  フィン
７ｂ  伝熱管
８  送風ファン
９  フィルタ
９ａ  枠体
９ｂ  不織布
１０  ブラシ
１１  フィルタ
１１ａ  枠体
１１ｂ  手掛部
１１ｃ  不織布
１２  ブラシ
【図１】
2006022982.tif 000003
【図２】
2006022982.tif 000004
【図３】
2006022982.tif 000005
【図４】
2006022982.tif 000006
【図５】
2006022982.tif 000007